(57)【要約】【課題】美感を損なうことなく、外観の悪化、異臭の発生、肌触りの悪化などを回避することのできる時計用バンドを提供する。【解決手段】本発明の時計用バンド１２０は、裏面に凹部１３６，１４６が形成されたバンド本体１３１，１４１と、前記凹部内に着脱自在に嵌合する装着部材１６０，１８０とを有する一対のバンド片１３０，１４０を備えている。装着部材１６０，１８０は、バンド片の基端部１３０ａ，１４０ａの近傍に設けられた上記凹部１３６，１４６に対してスライド動作によって嵌合するように構成されている。【選択図】          図１
2005000432.tif 000002
【特許請求の範囲】
【請求項１】
裏面に凹部が形成されたバンド本体と、前記凹部内に着脱自在に嵌合する装着部材とを有することを特徴とする時計用バンド。
【請求項２】
前記凹部は、前記バンド本体の両側縁部を除く裏面部分に形成されていることを特徴とする請求項１に記載の時計用バンド。
【請求項３】
前記装着部材を前記凹部内に着脱可能に保持する保持手段を有することを特徴とする請求項１又は２に記載の時計用バンド。
【請求項４】
前記装着部材には外側へ張り出した係合外縁が設けられ、前記凹部には内側へ張り出した係合内縁が設けられ、前記係合外縁が前記係合内縁よりも前記凹部の内底部側に配置されることにより係止されるように構成されていることを特徴とする請求項３に記載の時計用バンド。
【請求項５】
前記係合外縁及び前記係合内縁は前記バンド本体の延長方向にそれぞれ伸びるように構成されていることを特徴とする請求項４に記載の時計用バンド。
【請求項６】
前記装着部材は、前記バンド本体の延長方向へ向けたスライド動作によって前記バンド本体に着脱可能に構成されていることを特徴とする請求項３乃至５のいずれか一項に記載の時計用バンド。
【請求項７】
前記凹部には、前記バンド本体の延長方向の端部に、前記装着部材を出し入れ可能な導入部を有し、前記凹部内に配置された前記装着部材が前記導入部から抜け出すことを防止するための抜け防止手段を有することを特徴とする請求項６に記載の時計用バンド。
【請求項８】
前記装着部材が前記凹部に装着されている状態で、前記装着部材の外表面が前記バンド本体の裏面上から突出するように構成されていることを特徴とする請求項１乃至７のいずれか一項に記載の時計用バンド。
【請求項９】
前記凹部は、前記バンド本体の基端部から前記バンド本体の延長方向に伸びるように構成されていることを特徴とする請求項１乃至８のいずれか一項に記載の時計用バンド。
【請求項１０】
前記凹部は、前記バンド本体の基端部側に偏った範囲に構成されていることを特徴とする請求項１乃至９のいずれか一項に記載の時計用バンド。
【請求項１１】
前記装着部材の少なくとも外表面部分は、前記凹部の端部を越えて前記バンド本体の延長方向に伸びるように構成されていることを特徴とする請求項１乃至１０のいずれか一項に記載の時計用バンド。
【請求項１２】
前記装着部材の外表面部分は抗菌処理を施した素材で構成されていることを特徴とする請求項１乃至１１のいずれか一項に記載の時計用バンド。
【請求項１３】
前記装着部材の外表面部分は吸水性を有する素材で構成されていることを特徴とする請求項１乃至１２のいずれか一項に記載の時計用バンド。
【請求項１４】
請求項１乃至１３のいずれか一項に記載の時計用バンドと、前記時計用バンドに接続された時計本体とを有することを特徴とする時計。
【請求項１５】
前記時計用バンドは前記時計本体の両端部にそれぞれ接続された一対のバンド片を備え、該一対のバンド片の先端部間に連結可能で、かつ、伸縮可能に構成された連結具を有することを特徴とする請求項１４に記載の時計。
【発明の詳細な説明】
【０００１】
【発明の属する技術分野】
本発明は腕時計に用いるための時計用バンド及び時計に関し、特に、革バンドとして構成する場合に好適な時計用バンドの構造に関する。
【０００２】
【従来の技術】
一般に、腕時計の革バンドは時計本体に接続される一対のバンド片を有し、これらのバンド片の一方の先端部には他方のバンド片の先端部に連結するための連結具が取り付けられている。たとえば、一方のバンド片の先端部には上記連結具としてガクとツク棒を有する周知の美錠が取り付けられ、他方のバンド片の先端部はアジャスト孔を備えた剣先として構成されている。このような革バンドを備えた腕時計を腕に装着する場合には、上記美錠のガクに剣先を挿通させてからツク棒をアジャスト孔に挿入することにより一対のバンド片の先端部同士を連結する。
【０００３】
通常、革バンドには、金属製バンドや樹脂製バンドなどに較べて、腕に対する密着性が良い、柔らかな肌触りが得られる、冷たくないなどの利点があるが、その反面、特に夏場などにおいて、汗の付着などに起因して、汚損、かびや細菌などの繁殖、素材の劣化などが生じることにより、外観の悪化、異臭の発生、肌触りの悪化などが起こるという問題点がある。
【０００４】
このような事情に鑑みて、上記の問題点を解決するための幾つかの試みがなされている。そのうち、裏側全面に貼り替え可能な耐水性の接着テープを接着させてなる腕時計用革バンドが知られている。この腕時計用革バンドは、耐水性を有する接着テープによって革バンド本体を保護することができるとともに、その接着テープが劣化する度に貼り替えることができるように構成されている（例えば、以下の特許文献１参照）。
【０００５】
また、革バンド本体の裏側に複数枚の裏側バンド部材をバンド本体に強靭な紐により剥離可能に層状に重ね合わせてなる時計バンドも知られている。この時計バンドは、その最も外側の裏側バンド部材を適宜剥離することによって、次の裏側バンド部材の表面が露出するように構成されている（例えば、以下の特許文献２参照）。
【０００６】
【特許文献１】
登録実用新案第３００８１０１号公報
【特許文献２】
特開平０８−３３２１０５号公報
【０００７】
【発明が解決しようとする課題】
しかしながら、特許文献１に記載された革バンドにおいては、耐水性の接着テープが腕に直接接触するため、肌触りが悪くなるという問題点がある。
【０００８】
また、特許文献２に記載された革バンドは、革バンドから裏側バンド部材を剥離できるように構成されているが、裏側バンド部材を剥離した後に紐の締め込みを行う必要があり、取り扱いが煩雑であるという問題点がある。
【０００９】
さらに、上記の特許文献１及び２においては、革バンドの裏面側部分に接着テープを接着させたり、裏側バンド部材を紐で固定したりしているため、これらの接着テープや裏側バンド部材の側縁がそのまま側方へ露出し、通常の革バンドと較べて側縁の外観が異なるものとなることから、革バンドの美観が損なわれる場合が考えられる。一般に、革バンドは高級腕時計に用いられる場合が多く、上記のような美観が損なわれ得る構成を採用することは高級感を要する製品にとってきわめて不都合である。特に、上記文献に記載された革バンドの実施例においては、上記接着テープや裏側バンド部材が革バンドの裏側全面に配置されているため、腕時計の装着時においても革バンドの側縁にそのまま接着テープや裏側バンド部材が視認されることとなり、高級感を損なう恐れがある。
【００１０】
そこで本発明は上記問題点を解決するものであり、その課題は、美感を損なうことなく、外観の悪化、異臭の発生、肌触りの悪化などを回避することのできる時計用バンドを提供することにある。
【００１１】
【課題を解決するための手段】
上記課題を解決するために本発明の時計用バンドは、裏面に凹部が形成されたバンド本体と、前記凹部内に着脱自在に取り付けられている装着部材とを有することを特徴とする。
【００１２】
この発明によれば、前記装着部材が前記バンド本体の裏面に形成された前記凹部内に着脱自在に嵌合するように構成されているため、腕などのバンド装着対象に接触する装着部材を取り替えることが可能になる。したがって、バンド本体の汚損や素材の劣化などを低減し、外観の悪化、異臭の発生、肌触りの悪化などを低減することができる。また、装着部材はバンド本体の凹部内に収容されるため、特に時計用バンドを腕などのバンド装着対象に装着した状態では装着部材が外部から視認されにくくなることから、外観を良好に保つことが可能になる。
【００１３】
本発明において、前記凹部は、前記バンド本体の両側縁部を除く裏面部分に形成されていることが好ましい。これによれば、凹部がバンド本体の両側縁部（すなわち、バンドの幅方向両側の側縁部）を除く裏面部分に形成されていることにより、凹部に嵌合する装着部材がバンド本体の両側縁部に露出しないため、時計用バンドの外観をさらに向上させることができる。
【００１４】
本発明において、前記装着部材を前記凹部内に着脱可能に保持する保持手段を有することが好ましい。この保持手段によって、装着部材を凹部内に保持することができるため、意図に反して装着部材がバンド本体から脱落する可能性を低減できる。この保持手段としては、後述するような係止構造の他に、面ファスナーや粘着面などによる繰り返し適用可能な面接着機能を有するものなどが挙げられる。
【００１５】
より具体的には、前記装着部材は、前記バンド本体の厚さ方向に係止された状態で前記凹部に嵌合保持されるように構成されていることが好ましい。これによれば、装着部材が凹部に嵌合したときにバンド本体の厚さ方向に係止されて嵌合保持されるので、装着部材が凹部から外れ難くなる。このとき、凹部と装着部材の着脱を可能にする構造としては、後述するスライド動作により着脱可能にするスライド構造の他に、装着部材を凹部に対してスナップ的に押し込むことができるように構成された嵌め込み構造などが挙げられる。
【００１６】
本発明において、前記保持手段として、前記装着部材には外側へ張り出した係合外縁が設けられ、前記凹部には内側へ張り出した係合内縁が設けられ、前記係合外縁が前記係合内縁よりも前記凹部の内底部側に配置されることにより係止されるように構成されていることが好ましい。この発明によれば、装着部材の係合外縁が凹部の係合内縁に係止されることにより、簡単な構造で確実に装着部材を係止し、凹部内に保持することができる。
【００１７】
本発明において、前記係合外縁及び前記係合内縁は前記バンド本体の延長方向にそれぞれ伸びるように構成されていることが好ましい。この発明によれば、装着部材の係合外縁と凹部の係合内縁がバンド本体の延長方向にそれぞれ伸びているので、装着部材の外縁部をバンド本体の延長方向に亘って確実に保持することができる。
【００１８】
本発明において、前記装着部材は、前記バンド本体の延長方向へ向けたスライド動作によって前記バンド本体に着脱可能に構成されていることが好ましい。これによれば、装着部材をバンド本体の延長方向にスライド動作させることによって、バンド本体に装着したり、バンド本体から取り外したりすることができるため、装着部材をより容易かつ確実に着脱することが可能になり、バンド本体に対する装着部材の取り付け状態も安定させることができる。たとえば、装着部材の幅方向両端部に設けた係合外縁と、凹部の幅方向両側に設けた係合内縁とが係合した状態でバンド本体の延長方向に相互にスライド可能に構成されていることにより、装着部材が凹部によりバンド本体の延長方向に案内される構造となるため、装着部材の装着作業や取り外し作業をきわめて容易に行うことができるようになる。
【００１９】
本発明において、前記凹部には、前記バンド本体の延長方向の端部に、前記装着部材を出し入れするための導入部を有し、前記凹部内に配置された前記装着部材が前記導入部から抜け出すことを防止するための抜け防止手段を有することが好ましい。凹部には、バンド本体の延長方向の端部に、装着部材を出し入れするための導入部を設けることにより、この導入部から装着部材を導入してスライド動作をさせて凹部に嵌合した状態とすることができ、逆に、凹部に嵌合した状態の装着部材をスライド動作させて導入部から導出させることができる。ここで、上記の導入部は、凹部の周縁に構成された開口部、凹部の幅を拡幅してなる拡幅部、上方へ持ち上げることにより下層構造との間に装着部材を通過させることの可能な間隙を設けることができる端片部などで構成することができる。
【００２０】
また、装着部材が導入部から抜け出すことを防止するための抜け防止手段を有するので、意図に反して装着部材が抜け出てしまうこと（例えば、装着部材が腕との摩擦によって自然にスライドし、凹部から外れてしまうことなど）を防止できる。この抜け防止手段としては、装着部材のスライド動作を妨げる段差、装着部材の一部を保持する切り込み部や押さえ部、開閉可能な導入口構造（上方へ持ち上げることにより下層構造との間に装着部材を通過させることの可能な間隙を設けることができる端片部を有する構造）などが挙げられる。
【００２１】
本発明において、前記装着部材が前記凹部に装着されている状態で、前記装着部材の外表面が前記バンド本体の裏面上から突出するように構成されていることが好ましい。この発明によれば、装着部材の外表面がバンド本体の裏面上から突出するように構成されていることにより、装着部材の外表面が優先的に腕などのバンド装着対象に接触することになるため、バンド本体の裏面部分はバンド装着対象に接触しにくくなり、その結果、バンド本体の汚損や素材の劣化などを低減することができる。このとき、装着部材が汚損や素材の劣化などをきたしても交換することができるため、結果的に時計用バンド全体の耐久性を実質的に向上させることができる。
【００２２】
本発明において、前記凹部は、前記バンド本体の基端部から前記バンド本体の延長方向に伸びるように構成されていることが好ましい。バンド本体の基端部（すなわち時計本体に接続される端部）から延長方向に伸びるように凹部が構成されていることにより、時計本体と時計用バンドとをバンド装着時の通常姿勢とは逆方向に屈折させることによって装着部材の着脱作業を容易に行うことが可能になる。特に、凹部に対して装着部材をスライド動作させることによって装着できるように構成した場合には、上記のように逆方向に屈折させることによって凹部内に装着部材を導入することがきわめて容易になる。このとき、装着部材を出し入れするための導入部（例えば開口部）をバンド本体の基端部に設けることで、装着部材を凹部に対して出し入れすることがさらに容易になる。
【００２３】
本発明において、前記凹部は、前記バンド本体の基端部側に偏った範囲に構成されていることが好ましい。これによれば、バンド本体の基端部側に偏った範囲に構成された凹部に対して装着部材が装着される。一般に、時計用バンドの基端部近傍においては、バンドが時計本体と接続されていることによって腕などとの間に隙間が発生しやすいが、この基端部に装着部材を装着することによって、当該隙間を無くし密着性を向上させて装着感を改善することが可能になる。特に、装着部材の外表面がバンド本体の裏面よりも突出するように構成しておくことによって、上記効果を高めることができる。
【００２４】
本発明において、前記装着部材の少なくとも外表面部分は、前記凹部の端部を越えて前記バンド本体の延長方向に伸びるように構成されていることが好ましい。これによって、バンド本体の凹部よりも装着部材の外表面部分がバンド本体の延長方向に伸びるため、時計用バンドの延長方向のより広い範囲をカバーするように構成できる。これは、例えば、バンド本体の一部が連結具などで構成されていることにより当該連結具の取り付け部分には凹部を形成することが困難である場合において、当該連結具の裏面側にも装着部材を実質的に配置することを可能にするといった点で特に効果的である。また、同様の理由により時計本体とバンド装着対象（腕など）との直接的な接触も防止できる。
【００２５】
なお、装着部材の少なくとも外表面部分を、凹部を越えてバンドの幅方向に張り出すように構成することもできる。この場合には、バンド本体の凹部周縁及び側縁部を装着部材の外表面部分で覆うことができる。
【００２６】
本発明において、前記装着部材の外表面部分は抗菌処理を施した素材で構成されていることが好ましい。これによれば、外表面部分が抗菌処理された素材で構成されていることにより、雑菌の繁殖を防止することができるため、異臭やぬめりの発生を防止できる。
【００２７】
本発明において、前記装着部材の外表面部分は吸水性を有する素材で構成されていることが好ましい。これによれば、吸水性を有する素材によって構成されることによって、装着部材によって汗や水を吸収できることから、肌触りが良くなるなど装着感が向上する。
【００２８】
次に、本発明の時計は、上記のいずれかに記載の時計用バンドと、前記時計用バンドに接続された時計本体とを有することを特徴とする。特に、本発明は、バンド素材として、皮革、合成皮革、布、不織布、合成樹脂などの可撓性素材を用いる場合に特に好適である。
【００２９】
本発明において、前記時計用バンドは前記時計本体の両端部にそれぞれ接続された一対のバンド片を備え、該一対のバンド片の先端部間に連結可能で、かつ、伸縮可能に構成された連結具を有することが好ましい。これによれば、一対のバンド片を伸縮自在な連結具によって連結することにより、バンド片を革素材で構成した場合でも、一対のバンド片を連結したり取り外したりする操作が不要になり、これらの操作の繰り返しによるバンド片先端部の損傷を防止することができる。上記連結具としては、一対の板状材を折り畳むことによって一対のバンド片の先端部間の距離を縮めることができ、一対の板状材を開くことによって上記先端部間の距離を伸ばすことができる折り畳み構造を有するものが挙げられる。
【００３０】
【発明の実施の形態】
次に、本発明に係る時計用バンド及び時計の実施形態について詳細に説明する。
【００３１】
［第１実施形態］
最初に、図１、図２及び図３を参照して本発明に係る第１実施形態の時計用バンド及び時計（腕時計）について説明する。図１は本発明に係る第１実施形態の時計を示す概略斜視図である。図２は第１実施形態のバンド本体の一部及び装着部材を模式的に示す概略斜視図である。図３は上記の時計用バンドを図１に示す仮想平面Ａによって切断した断面を模式的に示す横断面図である。
【００３２】
時計１００は、時計本体１１０と、時計用バンド１２０とを有する。この時計用バンド１２０は、時計本体１１０の両端部にそれぞれ接続された一対のバンド片１３０、１４０を備えている。これらのバンド片１３０，１４０は、バンド本体１３１，１４１と、これに装着される装着部材１６０，１８０とを含む。この時計用バンド１２０はワニ、トカゲ、オーストリッチ、ブタ、牛その他の皮革や各種の合成皮革などで構成される。また、布地、不織布、合成樹脂などで構成されたものであってもよい。
【００３３】
一対のバンド片１２０、１４０は、時計本体１１０に接続される基端部１３０ａ、１４０ａと、この反対側に設けられた先端部１３０ｂ、１４０ｂとをそれぞれ有する。バンド片１３０の先端部１３０ｂには、ガク１３３とツク棒１３４を有する美錠１３２が取り付けられている。バンド片１４０の先端部１４０ｂは、ガク１３３の内部を挿通可能に形成された剣先として構成され、先端部１４０ｂからバンド片１４０の延長方向に、ツク棒１３４を挿入可能な複数のアジャスト孔１４２が配列形成されている。そして、ガク１３３内に先端部１４０ｂを挿通させた後にツク棒１３４を所定のアジャスト孔１４２に挿入することによって、バンド片１３０と１４０を互いに連結させることができるようになっている。
【００３４】
一対のバンド本体１３１、１４１の裏面（すなわち装着時に腕に接触する側の面）には、凹部１３６、１４６がそれぞれ形成されている。これら凹部１３６、１４６は、バンド本体１３１、１４１の延長方向に伸びる形状（平面略長方形或いは長円形）の凹み部分である。また、図２に示すように、凹部１３６，１４６は、バンド本体１３１、１４１の幅方向両側にある側縁部１３１ｃ，１４１ｃを除く裏面部分に形成されている。すなわち、凹部１３６，１４６の幅方向両側にはバンド本体の側縁部１３１ｃ，１４１ｃが配置されている。さらに、凹部１３６，１４６は、バンド片１３０，１４０の基端部１３０ａ，１４０ａからその延長方向の所定範囲に亘って伸びるように構成されている。凹部１３６，１４６のバンド本体１３１，１４１の延長方向に見た長さは、バンド本体１３１，１４１の全長にほぼ近い長さとなっていてもよいが、特にバンド全長の１／４から１／２程度であることが好ましい。
【００３５】
図２に示すように、凹部１３６、１４６には、内側に張り出し、凹部１３６，１４６の内縁に沿って（主としてバンドの延長方向に）延長した係合内縁１３７ａ，１４７ａがそれぞれ設けられている。この係合内縁１３７ａ，１４７ａは、凹部１３６，１４６の内底部１３６ｂ、１４６ｂとの間に隙間を有するように構成されている。また、凹部１３６、１４６の端部には開口部１３６ａ、１４６ａが設けられている。これらの開口部１３６ａ、１４６ａは凹部１３６，１４６の基端部１３０ａ，１４０ａ側に形成されている。
【００３６】
上記の開口部１３６ａ，１４６ａの内側には、内底部１３６ｂ、１４６ｂから上方に立ち上がるように構成された段差１３８、１４８が設けられている。この段差１３８、１４８は、図示のようにバンド片１３０，１４０の基端部１３０ａ，１４０ａに構成された折り返し部（時計本体１１０の端部に接続するためのばね棒を挿通するための接続孔を形成するための部分）の端縁によって構成されることが好ましいが、内底部１３６ｂ、１４６ｂ上に所定厚さを有する部材を固定することによって構成しても構わない。
【００３７】
一方、装着部材１６０、１８０は、バンド本体１３１、１４１の凹部１３６、１４６とほぼ同一の平面形状を有する表部材１６２、１８２と、この表部材１６２，１８２に重なるように固定され、表部材１６２，１８２の外縁から周囲に僅かに張り出したスライド部材１６８、１８８とを有している。スライド部材１６８，１８８の外縁部分は、装着部材１６０，１８０の外周に沿って延長する係合外縁１６８ａ，１８８ａとなっている。この係合外縁１６８ａ，１８８ａは、装着部材１６０，１８０が凹部１３６，１４６に嵌合保持されたとき、上記凹部１３６，１４６の係合内縁１３７ａ，１４７ａと内底部１３６ｂ，１４６ｂとの間に配置され、係合内縁１３７ａ，１４７ａによりバンド本体１３１，１４１の厚さ方向に係止される。これによって、装着部材１６０，１８０は凹部１３６，１４６に嵌合保持される。すなわち、係合内縁１３７ａ，１４７ａ及び係合外縁１６８ａ、１８８ａは、装着部材１６０，１８０を凹部１３６，１４６から脱出しないように保持する保持手段として機能するものである。
【００３８】
また、図２に示すように、スライド部材１６８、１８８の後端部１６８ｃ、１８８ｃは表部材１６２、１８２の後端部１６２ｃ，１８２ｃよりも内側に配置されている。そして、装着部材１６０、１８０を凹部１３６、１４６に装着した状態においてスライド部材１６８、１８８の後端部１６８ｃ、１８８ｃが段差１３８、１４８の内側に配置されるように構成されている。これによって、スライド部材１６８、１８８の後端部１６８ｃ、１８８ｃが段差１３８，１４８を乗り越えなければ装着部材１６０，１８０が凹部１３６、１４６から抜け出ないようになっている。すなわち、上記の段差１３８，１４８と、スライド部材１６８，１８８の後端部１６８ｃ、１８８ｃとは、装着部材の抜け防止手段を構成している。
【００３９】
上記のバンド本体１３１と装着部材１６０の嵌合部分の断面構造は図３に示されている。なお、バンド片１３０と１４０は同じ断面構造を有するため、図３にはバンド片１３０の符号のみを付し、バンド片１４０の断面及び符号は省略してある。以下の説明では、バンド片１３０の構成要素に対応するバンド片１４０の構成部分の符号を、他の図面に図示されているか否かを問わず括弧内に付記する。バンド本体１３１（１４１）は、芯材１３１Ａ（１４１Ａ）、内側スペーサ１３１Ｂ（１４１Ｂ）及び裏側芯材１３７（１４７）の外側を表皮材１３５（１４５）で覆い、縫い合わせたものである。バンド本体１３１（１４１）の内部には、内側スペーサ１３１Ｂ（１４１Ｂ）を介して芯材１３１Ａ（１４１Ａ）に対向配置するように裏側芯材１３７（１４７）が配置されている。この裏側芯材１３７（１４７）の内縁は内側に張り出して上記係合内縁１３７ａ（１４７ａ）を構成している。そして、内側スペーサ１３１Ｂ（１４１Ｂ）によって、裏側芯材１３７（１４７）の係合内縁１３７ａ（１４７ａ）と、凹部１３６（１４６）の内底部１３６ｂ，１４６ｂ（図２参照）との間に間隙が形成され、上述のように装着部材１６０（１８０）の係合外縁１６８ａ（１８８ａ）が配置されている。
【００４０】
装着部材１６０（１８０）には、上記の表部材１６２（１８２）とスライド部材１６８（１８８）との間に、芯材１６４（１８４）及びスペーサ１６６（１８６）が介挿されている。表部材１６２（１８２）は、カーフ（幼牛の皮革）などの皮革材で構成されている。芯材１６４（１８４）は合成樹脂、不織布、紙材、布材などで構成され、表部材１６２（１８２）によって被覆されている。スライド部材１６８（１８８）は、摩擦係数の少ない合成樹脂などで構成される。スペーサ１６６（１８６）は合成樹脂、不織布、紙材、布材などで構成される。
【００４１】
ここで、スペーサ１６６（１８６）の幅は、表部材１６２（１８２）及びスライド部材１６８（１８８）の幅より狭く形成されている。このため、装着部材１６０（１８０）の長手方向に伸びる両側部には側方に開く形状の凹溝が構成され、この凹溝内に、上記係合外縁１３７ａ（１４７ａ）が配置される。これによって、バンド片１３０，１４０の裏面上から、装着部材１６０（１８０）と凹部１３６（１４６）の係合内縁１３７ａ（１４７ａ）の隙間が視認されないように構成されている。
【００４２】
また、装着部材１６０（１８０）の厚さは、凹部１３６（１４６）の深さよりも大きく形成されている。したがって、図３に示すように装着部材１６２（１８２）をバンド本体１３１（１４１）の凹部１３６（１４６）にそれぞれ嵌合させて装着したとき、バンド本体１３１（１４１）の両側縁部１３１ｃ（１４１ｃ）の裏面部分よりも装着部材１６２（１８２）の外表面が厚さ方向に突出した状態となる。この装着部材１６０（１８０）の突出量Ｐは図３に示してある。この状態で時計１００を腕に装着すると、バンド片１３０、１４０の基端部１３０ａ，１４０ａの近傍の裏面部分において装着部材１６０（１８０）の外表面が主体的に肌に接触するため、バンド本体１３１（１４１）の両側縁部１３１ｃ（１４１ｃ）が肌に触れにくくなり、その結果、バンド本体１３１（１４１）の汚損や品位の劣化を低減することができる。上記の突出量Ｐは、例えば、０．５ｍｍ〜２．５ｍｍ程度であることが望ましい。
【００４３】
上述のように構成された時計用バンド１２０においては、図２に示すように、装着部材１６０、１８０を、開口部１３６ａ、１４６ａを通して凹部１３６、１４６内に挿し込み、バンド本体の延長方向にスライドさせることにより、凹部１３６、１４６に嵌合保持された状態とすることができる。
【００４４】
また、装着部材１６０、１８０が凹部１３６、１４６の中に配置されている場合において、装着部材１６０、１８０を開口部１３６ａ、１４６ａ側にスライドさせることにより、装着部材１６０、１８０を凹部１３６、１４６の外へ脱出させることができる。このとき、装着部材１６０，１８０の後端部（バンド片１３０，１４０の基端部１３０ａ，１４０ａ側の端部）１６２ｃ，１８２ｃをやや持ち上げてからスライド動作させることにより、スライド部材１６８，１８８の後端部１６８ｃ、１８８ｃが段差１３８，１４８を乗り越えるため、上記抜け防止手段の規制作用が解除され、装着部材１６０，１８０が取り外し可能になる。
【００４５】
この第１実施形態の時計用バンド１２０においては、バンド本体１３１、１４１の裏面に凹部１３６、１４６がそれぞれ形成されているとともに、凹部１３６、１４６の中に装着部材１６０、１８０が着脱自在にそれぞれ取り付けられている。したがって、主体的に汚損や劣化などを受ける装着部材１６０、１８０を取り替えることができるため、結果的に時計用バンド１２０の長寿命化を図ることができる。
【００４６】
また、凹部１３６、１４６は、バンド本体１２０、１４０の両側縁部を除く裏面部分に設けられているので、時計１００を腕に装着した状態では装着部材１６０，１８０が視認されにくくなるため、美感を損なうことがなく、外観デザインに影響を与えにくい。また、バンド本体１３１，１４１の側縁部１３１ｃ、１４１ｃを通常の革バンドと変わらない外観を備えるように構成できるので、時計用バンド１２０の高級感を保つことができる。
【００４７】
さらに、装着部材１６０、１８０の外表面は、バンド本体１３１，１４１の裏面上から突出するように形成されているので、時計１００を腕に装着した状態において、装着部材１６０，１８０の外表面が肌に主体的に接触し、その分、バンド本体１３１、１４１に肌が直接接触しにくくなることから、バンド本体１３１，１４１の汚損や劣化をさらに低減することができる。したがって、時計用バンド１２０の更なる長寿命化を図ることができる。
【００４８】
装着部材１６０，１８０の外表面部分を構成する素材（上記表部材を構成する素材）としては、バイオガード（商標、小松精練社製）などの抗菌性素材や、抗菌性コーティングなどの抗菌性処理を施した素材を用いることが好ましい。これによって、特に暑い時期などにおいて汗や垢などに起因してカビなどの菌類や細菌などが繁殖することを防止できる。また、上記素材として、カーフなどの吸水性を有する皮革或いは合成皮革、布地、その他の吸水性を有する素材を用いることによって、汗や水を吸収して装着感の悪化を防止できる。逆に、キップなどの防水性を有する皮革或いは合成皮革、その他の防水性を有する素材を用いることによってバンド本体への汗の沁み込みを防止できる。さらに、カーフなどの柔らかい皮革或いは合成皮革、不織布、布材などを用いることによって肌触りを良くし、装着感を向上できる。これらの素材は特に冬などの比較的寒い時期に好適である。
【００４９】
［第２実施形態］
次に、図４を参照して、本発明における第２実施形態について説明する。図４は本発明に係る第２実施形態のバンド本体を部分的に示す概略斜視図である。この第２実施形態においては、バンド片２３０の基端部２３０ａの近傍部分のバンド本体２３１の構造以外は第１実施形態と同様に構成されているため、同様部分の説明及び図示を省略する。
【００５０】
先に説明した第１実施形態では、凹部１３６、１４６の一端に開口部１３６ａ、１４６ａが設けられているが、この第２実施形態では、図４に示すように、バンド本体２３１の凹部２３６には開口部が設けられておらず、その周縁は全て閉鎖されている。すなわち、凹部２３６の基端部２３０ａ側には凹部２３６を囲む端片部２３０ｄが設けられている。また、凹部２３６の上記基端部２３０ａ側の端部（すなわち、上記端片部２３０ｄに隣接する部分）は、上記開口部の代わりに、内側から切り込みを設けることなどによって拡幅された拡幅部２３６ａとなっている。すなわち、この拡幅部２３６ａの幅Ｗ′は凹部２３６の他の部分の幅Ｗより大きく構成されている。このため、第１実施形態と同様の装着部材１６０，１８０（図４には示していない。図２を参照）をこの拡幅部２３６ａから凹部２３６内に挿入したり、この拡幅部２３６ａから引き出したりすることが可能になる。また、この実施形態では、端片部２３０ｄは、その下にあるバンド素材に縫い付けられておらず、端片部２３０ｄを上方へ持ち上げることによって凹部２３６の開口部を実質的に構成することができるように構成されている。すなわち、端片部２３０ｄを上方へ持ち上げることによってその下のバンド素材との間に構成された間隙を通して、装着部材を凹部２３６に対して出し入れすることが可能になっている。また、このとき、上記の拡幅部２３６ａは端片部２３０ｄを上方へ持ち上げることを容易にするという役割を果たす。
【００５１】
装着部材１６０，１８０が凹部２３６内に嵌合保持されたとき、上記の端片部２３０ｄは、凹部２３６内の装着部材の後端部に対向し、装着部材の意図しない脱出を防止するための抜け防止手段を構成する。また、凹部２３６の内部には、第１実施形態と同様の段差２３８が形成され、これによっても装着部材１６０，１８０の抜け止めがなされるように構成されている。なお、図中の側縁部２３１ｃ及び係合内縁２３７ａは第１実施形態と同様のものである。また、バンド片２３０の基端部２３０ａには、第１実施形態と同様に、図示しないばね棒を挿通させるための接続孔が形成されている。この接続孔はバンド素材を折り返すことによって構成されており、その折り返されたバンド素材の端部が上記段差２３８を構成している。
【００５２】
この実施形態では、凹部２３６に開口部を設ける必要がないため、端片部２３０ｄが装着部材の後端部に対向配置されるように構成できることから、装着部材をより確実に凹部２３６内に保持することができる。
【００５３】
［第３実施形態］
次に、図５を参照して、本発明における第３実施形態について説明する。図５は本発明に係る第３実施形態のバンド本体の基端部近傍を部分的に示す概略斜視図である。この第３実施形態においても、バンド片３３０の基端部３３０ａの近傍部分のバンド本体３３１の構造以外は第１実施形態と同様に構成されているため、同様部分の説明及び図示を省略する。
【００５４】
このバンド本体３３１には、第２実施形態と同様に凹部３３６には開口部が設けられておらず、凹部２３６の基端部２３０ａ側には端片部３３０ｄが形成されている。この端片部３３０ｄは下方のバンド素材に対して縫い付けられておらず、上方へ持ち上げることによって下方のバンド素材との間に間隙３３０ｅが構成されるようになっている。したがって、この間隙３３０ｅを通して装着部材を凹部３３６に対して出し入れできるように構成されている。また、この端片部３３０ｄは、凹部３０６内に装着部材が配置された状態で、装着部材の後端部に対向配置されるため、装着部材の抜け出しを防止する抜け防止手段を構成する。なお、この実施形態においても、凹部２３６の幅方向両側にはそれぞれ側縁部３３１ｃが配置されている。
【００５５】
［第４実施形態］
次に、図６を参照して、本発明における第４実施形態について説明する。図６は本発明に係る第４実施形態の装着部材を模式的に示す概略斜視図である。この第４実施形態においては、バンド片４３０の基端部４３０ａの近傍部分の構造以外は第１実施形態と同様に構成されているため、同様部分の説明及び図示を省略する。
【００５６】
この第４実施形態においては、バンド本体４３１は、第１実施形態と同様に凹部４３６を有し、この凹部４３６は上記基端部４３０ａ側に開口部４３６ａを備えている。また、バンド片４３０の基端部４３０ａには、上記開口部４３６ａの外側に切り込み４３０ｆが形成されている。
【００５７】
また、装着部材４６０は、表素材４６２とスライド部材４６８を有する。そして、スライド部材４６８の外縁が第１実施形態と同様の係合外縁を構成し、凹部４３６の内縁と係合するように構成されている。装着部材４６０の後端部には、薄く舌状に突出した突片部４６８ａが形成されている。この突片部４６８ａは、スライド部材４６８の後端部が表部材４６２の後端部より外側に突出することにより構成されている。
【００５８】
上述のように形成された装着部材４６０は、開口部４３６ａから凹部４３６内にスライド挿入され、その後に、上記突片部４６８ａがバンド本体４３１の切り込み４３０ｆに挿入される。これにより、装着部材４６０の後端部がバンド本体４３１に保持されるため、装着部材４６０を凹部４３６から外れ難くすることができる。
【００５９】
なお、本実施形態では、バンド本体４３１の基端部４３０ａに切り込み４３０ｆを形成して装着部材４６０の後端に設けられた突片部４６８ａを挿入したが、バンド本体の基端部を第２実施形態若しくは第３実施形態のように構成し、上記端片部２３０ｄ、３３０ｄの下に上記突片部４６８ａを挿入することにより、装着部材を保持してもよい。
【００６０】
［第５実施形態］
次に、図７を参照して、本発明における第５実施形態の時計用バンドについて説明する。図７は本発明に係る第５実施形態の時計用バンドの基端部を示す概略斜視図である。この第５実施形態においては、バンド片５３０の基端部５３０ａの近傍部分の構造以外は第２実施形態と同様に構成されているため、同様部分の説明及び図示を省略する。
【００６１】
この第５実施形態においては、図７に示すように、バンド本体５３１の凹部５３６は、バンド片５３０の基端部５３０ａに設けられた接続孔５３０ｓに連通するように構成されている。
【００６２】
一方、この凹部５３６に嵌合されるべき装着部材５６０は、その後端部に環状の係止部５６３を備えている。この係止部５６３は接続孔５３０ｂの内部に配置可能に形成されている。また、係止部５６３には図示しないばね棒を挿通可能な挿通孔５６３ａが形成されている。ここで、この係止部５６３は、装着部材５６０の後端からスライド部材５６８の一部を突出させ、この突出部分を環状に巻くことにより構成されている。
【００６３】
この実施形態では、装着部材５６０を凹部５３６内に嵌合配置させた後に、装着部材５６０の後端部に設けられた係止部５６３を接続孔５３０ｓ内に挿入配置し、この状態で、図示しないばね棒を接続孔５３０ｂ及び係止部５６３に挿通させる。そして、このばね棒を用いてバンド片５３０を図示しない時計本体に接続する。このようにすると、ばね棒を取り外さない限り装着部材５６０がバンド本体５３１から脱落することがなくなるため、より確実に装着部材５６０を凹部５３６内に保持することができる。
【００６４】
［第６実施形態］
次に、図８を参照して、本発明における第６実施形態について説明する。図８は本発明に係る第６実施形態の装着部材を模式的に示す概略斜視図である。この装着部材６６０は、上記第５実施形態の装着部材５６０の代わりに用いることができるものである。先に説明した第５実施形態の装着部材５６０の係止部５６３は環状に形成されているが、この第６実施形態では、図８に示すように、装着部材６６０の係止部６６３は断面略Ｕ字形状に形成されている。係止部６６３は、その上部に図示しないばね棒を嵌入可能な開口６６３ａが形成されている。
【００６５】
この装着部材６６０は、第５実施形態の装着部材５６０と同様にしてバンド本体５３１に装着できる。この場合でも、図示しないばね棒を取り外さない限り、装着部材６６０をバンド本体５３１から離反させることができなくなるため、確実に装着部材６６０を凹部５３６内に保持できる。
【００６６】
この第６実施形態においては、装着部材６６０の係止部６６３には開口６６３ａが形成されているので、第５実施形態の装着部材５６０に比べて、係止部６６３の中にばね棒を容易に挿通させることができる。
【００６７】
なお、装着部材６６０の係止部６６３は、その上部ではなく、その下部に開口が形成されたものであってもよい。この場合には、バンド片５３０の挿通孔５３０ｂの中にばね棒を既に挿通してある状態で係止部６６３をばね棒に係合させることも可能になり、このため、ばね棒が装着された状態で装着部材６６０の着脱作業を行うことが可能になる。
【００６８】
［第７実施形態］
次に、図９を参照して、本発明における第７実施形態について説明する。図９は本発明に係る第７実施形態の装着部材を模式的に示す概略斜視図である。この第７実施形態においては、装着部材の構造以外は第１実施形態と同様に構成されているため、同様部分の説明及び図示を省略する。
【００６９】
この第７実施形態の装着部材７６０は、表部材７６２とスライド部材７６８とを備えている。この装着部材７６０の表部材７６２は、スライド部材７６８の端部を越えて長手方向に向けて伸びるように構成されている。より具体的には、その先端側と後端側の両方において、表部材１６２がそれぞれスライド部材７６８よりも長手方向に突出している。
【００７０】
上述のように形成された装着部材７６０を、図２に示すバンド本体の凹部１３６に挿し込むと、装着部材７６０の表部材７６２が凹部１３６の端部を越えてバンド本体１３１の延長方向に伸びるように配置される。したがって、装着部材７６０の外表面がバンド本体１３１の裏面のより広い範囲を延長方向に覆うことになるため、バンド本体１３１が肌に直接接触する部分をさらに低減させることができ、バンド本体１３１の汚損や劣化をその延長方向のより広い範囲で防止できる。
【００７１】
［第８実施形態］
次に、図１０を参照して、本発明における第８実施形態について説明する。図１０は本発明に係る第８実施形態の装着部材を模式的に示した概略斜視図である。この第８実施形態においては、装着部材の構造以外は第１実施形態と同様に構成されているため、同様部分の説明及び図示を省略する。
【００７２】
この第８実施形態の装着部材８６０は、図１０に示すように、表部材８６２が幅方向にスライド部材８６８の外縁よりも外側に張り出している。このように形成された装着部材８６０を、例えば図２に示すバンド本体の凹部１３６に挿し込むと、装着部材８６０の表部材８６２の張り出し部分が凹部１３６の内縁を越えて外側に張り出し、バンド本体１３１の側縁部１３１ｃを覆う。
【００７３】
この第８実施形態においては、表部材８６２の張り出し部分がバンド本体１３１の凹部１３６の内縁を越えて張り出すことになるので、手垢や汗などの汚れがバンド本体の凹部１３６内に入ることを防止することができる。また、バンド本体１３１の側縁部１３１ｃの汚損や劣化を低減することもできる。
【００７４】
［第９実施形態］
次に、図１１を参照して、本発明における第９実施形態について説明する。図１１は本発明に係る第９実施形態の時計を模式的に示した斜視図である。この第９実施形態においては、バンド片におけるバンド本体の凹部と装着部材の構造以外は第１実施形態と同様に構成されているため、同様部分の説明及び図示を省略する。
【００７５】
この第９実施形態において、時計９００は、時計本体９１０と、これに接続される一対のバンド片９３０，９４０を有する時計用バンド９２０とを有する。この第９実施形態の時計用バンド９２０では、図１１に示すように、装着部材９６０、９８０をバンド本体９３１、９４１の裏面の上方から凹部９３６、９４６へ向けてバンドの厚さ方向に移動させて嵌合させるだけで装着することができるように構成されている。そして、バンド本体９３１，９４１に装着された装着部材９６０，９８０の底面と、凹部９３６，９４６の内底面とは相互に接着保持されるように構成されている。具体的には、バンド本体９３１、９４１の凹部９３６、９４６の内底面には、それぞれ面ファスナー９３６ａ、９４６ａが固定されている。また、装着部材９６０、９８０の底面には、凹部の内底面に固定された面ファスナー９３６ａ、９４６ａに対して着脱可能に接着する面ファスナー９６０ａ、９８０ａが固定されている。
【００７６】
上述のように形成された時計用バンド９２０においては、装着部材９６０、９８０と、バンド本体９３１、９４１の凹部９３６、９４６との着脱作業を極めて容易に行うことができる。
【００７７】
なお、この第９実施形態では、凹部９３６、９４６の内底面と装着部材９６０、９８０の底面にそれぞれ互いに着脱可能に接着する面ファスナー９３６ａ、９４６ａ、９６０ａ、９８０ａを設けたが、装着部材と凹部の内底面とが磁力によって吸着保持されるように構成されていてもよいし、或いは、粘着層によって着脱自在に接着保持されるように構成されていてもよい。
【００７８】
［第１０実施形態］
次に、図１２を参照して、本発明における第１０実施形態の時計について説明する。図１２は本発明に係る第１０実施形態の腕時計を模式的に示した概略斜視図である。時計１００００は、時計本体１１００と、この時計本体１１００に接続された一対のバンド片１３００，１４００を備えた時計用バンド１２００と、バンド片１３００，１４００の先端部間に連結された連結具１５００とを有する。
【００７９】
この第１０実施形態の時計１０００の時計用バンド１２００は、第１実施形態の時計用バンド１２０とほぼ同一のものであり、同一部分については説明を省略する。また、時計本体１１００は、一般的な腕時計に用いられる時計本体であり、その説明を省略する。第１実施形態の時計用バンド１２０は、バンド片１３０の先端部１３０ｂに美錠１３２が取り付けられているが、この第１０実施形態の時計用バンド１２００では、図１２に示すように、そのバンド片１３００の先端部１３００ｂは、バンド片１４００の先端部１４００ｂにも連結された連結具１５００に連結されている。また、バンド片１３００，１４００を構成するバンド本体の裏面には第１実施形態と同様の凹部が形成され、この凹部に装着部材１６００，１８００が嵌合保持されている。この凹部と装着部材の構造は上述の各実施形態と同様に構成されている。
【００８０】
ここで、連結具１５００においては、一対の板状材１５０２、１５０４がヒンジ１５０５において、相互に重なるように折り畳まれた状態から、開いた伸長状態に至るまで回動自在に構成されている。板状材１５０２の端部はピンなどを介してバンド片１３００の先端部１３００ｂに取り付けられている。また、板状材１５０４の端部には、ツク棒１５２４とガク１５２３からなる美錠１５２０が取り付けられ、この美錠１５２０は、バンド片１４００の先端部１４００ｂに対して装着可能に構成されている。バンド片１４００の先端部１４００ｂは剣先構造を有し、バンド片１４００の延長方向に複数のアジャスト孔１４２０が配列形成されている。バンド片１４００の先端部１４００ｂをガク１５２３に挿通し、先端部１４００ｂのアジャスト孔１４２０にツク棒１５２４を挿入することによって、板状材１５０４とバンド片１４００とが連結される。
【００８１】
上記一対の板状材１５０２、１５０４は、その折り畳み状態を保持することができるように構成されている。具体的には、板状材１５０２には、開口１５０２ａと、この開口１５０２ａ内に臨む係合部を備えた一対の係合片１５０２ｂ，１５０２ｃとが設けられている。これら一対の係合片１５０２ｂ，１５０２ｃはバネなどによって上記係合部を開口１５０２ａ内に張り出させる状態となるように幅方向外側に付勢された状態となっている。そして、指などで一対の係合片１５０２ｂ，１５０２ｃを幅方向内側に押し込むと、上記係合部が開口１５０２ａ内から退避するように構成されている。一方、板状材１５０４には、板状材１５０２の開口１５０２ａに対応する部分に、開口１５０２ａに向けて突出する突起１５０４ａが設けられている。
【００８２】
上記のように構成された連結具１５００においては、板状材１５０２が板状材１５０４に対して重なるように折り畳まれたとき、上記の突起１５０４ａは開口１５０２ａ内に挿入され、開口１５０２ａ内に張り出した、一対の係合片１５０２ｂ，１５０２ｃの係合部によって挟持される態様で係合保持される。これによって、板状材１５０２と板状材１５０４との折り畳み状態は保持される。また、この折り畳み状態において、一対の係合片１５０２ｂ，１５０２ｃを幅方向内側に押し込むことにより、開口１５０２ａ内に張り出していた一対の係合部が開いて（開口１５０２ａ内から退避して）上記突起１５０４ａを解放するので、板状材１５０２と１５０４とを開くことができるようになる。
【００８３】
上述のように構成された時計１０００は、その連結具１５００を折り畳み状態とすることによって腕などに装着した状態とすることができ、また、連結具１５００を開くことによって腕から外すことが可能になる。したがって、連結具１５００を介して一対のバンド片１３００と１４００とを常時連結した状態としておくことができるため、第１実施形態のように一対のバンド片の先端部同士を連結したり、取り外したりする必要がなくなる。したがって、ハンド片１３００と１４００の先端部、特に、バンド片１４００の先端部１４００ｂのアジャスト孔１４２０の近傍が損傷を受ける確率を低減することができる。
【図面の簡単な説明】
【図１】本発明に係る第１実施形態を示す概略斜視図。
【図２】第１実施形態のバンド片の基端部近傍を示す概略斜視図。
【図３】図１における時計用バンドの仮想平面Ａによる切断面を示す断面図。
【図４】第２実施形態のバンド片の基端部を示す概略斜視図。
【図５】第３実施形態のバンド片の基端部を示す概略斜視図。
【図６】第４実施形態のバンド片の基端部を示す概略斜視図。
【図７】第５実施形態のバンド片の基端部を示す概略斜視図。
【図８】第６実施形態の装着部材を示す概略斜視図。
【図９】第７実施形態の装着部材を示す概略斜視図。
【図１０】第８実施形態の装着部材を示す概略斜視図。
【図１１】第９実施形態の時計を示す分解斜視図。
【図１２】第１０実施形態の時計を示す概略斜視図。
【符号の説明】
１００，９００，１０００…時計、１１０，９１０，１１００…時計本体、１２０，９２０，１２００…時計用バンド、１３０、１４０、２３０、３３０、５３０、９３０、９４０，１３００，１４００…バンド片、１３０ａ、１４０ａ、２３０ａ、３３０ａ、５３０ａ…基端部、１３０ｂ、１４０ｂ…先端部、１３１，１４１，２３１，３３１，５３１，９３１，９４１…バンド本体、１３２、１５２０…美錠、１３３、１５２３…ガク、１３４、１５２４…ツク棒、１３６、１４６、２３６、３３６、５３６、９３６、９４６…凹部、１３６ａ、１４６ａ…開口部、１３６ｂ、１４６ｂ…内底部、９３６ａ、９４６ａ、９６０ａ、９８０ａ…面ファスナー、１３７ａ、１４７ａ…係合内縁、１３８、１４８…段差、１６０、１８０、４６０、５６０、６６０、７６０、８６０、９６０、９８０…装着部材、１６２、１８２、４６２、７６２、８６２…表部材、１６２ｃ、１８２ｃ、１６８ｃ、１８８ｃ…後端部、１６８ａ、１８８ａ…係合外縁
【図１】
2005000432.tif 000003
【図２】
2005000432.tif 000004
【図３】
2005000432.tif 000005
【図４】
2005000432.tif 000006
【図５】
2005000432.tif 000007
【図６】
2005000432.tif 000008
【図７】
2005000432.tif 000009
【図８】
2005000432.tif 000010
【図９】
2005000432.tif 000011
【図１０】
2005000432.tif 000012
【図１１】
2005000432.tif 000013
【図１２】
2005000432.tif 000014